(57)【特許請求の範囲】
【請求項１】
暖房用熱媒が循環する暖房回路と、
暖房回路に組み込まれており、暖房用熱媒からの放熱により暖房する暖房端末と、
暖房回路に組み込まれており、自然環境からの吸熱により暖房用熱媒を加熱するヒートポンプと、
暖房回路に組み込まれており、燃料の燃焼により暖房用熱媒を加熱する燃焼器と、
暖房回路に組み込まれた循環ポンプと、
暖房回路に暖房用熱媒を供給する暖房用熱媒供給手段と、
制御装置を備える暖房装置であって、
制御装置は、暖房試運転を実行可能に構成されており、
制御装置は、暖房試運転において、
暖房回路が暖房用熱媒で満たされるように、暖房用熱媒供給手段で暖房回路に暖房用熱媒を供給しながら循環ポンプを駆動する暖房用熱媒供給運転と、
暖房用熱媒供給運転の後に、循環ポンプを駆動してヒートポンプに暖房用熱媒を循環させながら、ヒートポンプによる暖房用熱媒の加熱を行って、ヒートポンプが正常に接続されているか否かを判定するヒートポンプ暖房試運転と、
ヒートポンプ暖房試運転の後に、循環ポンプを駆動して暖房端末と燃焼器に暖房用熱媒を循環させながら、燃焼器による暖房用熱媒の加熱を行って、暖房端末が正常に接続されているか否かを判定する暖房端末試運転を実行するように構成されている、暖房装置。
【請求項２】
暖房端末として、互いに並列に接続された複数の暖房端末を備えており、
複数の暖房端末のそれぞれが、その暖房端末に暖房用熱媒が流れる経路を開閉する開閉弁を備えており、
ヒートポンプが、複数の暖房端末に対して直列に接続されており、
制御装置が、ヒートポンプ暖房試運転において、一部の暖房端末の開閉弁のみを開くように構成されている、請求項１の暖房装置。
【請求項３】
制御装置が、ヒートポンプ暖房試運転において、循環ポンプを駆動してヒートポンプに暖房用熱媒を循環させた状態で、暖房用熱媒の温度が安定するまで待機し、暖房用熱媒の温度が安定すると、ヒートポンプによる暖房用熱媒の加熱を開始するように構成されている、請求項１または２の暖房装置。
【発明の詳細な説明】
【技術分野】
【０００１】
本発明は、暖房装置に関する。
【背景技術】
【０００２】
特許文献１に、暖房用熱媒が循環する暖房回路と、暖房回路に組み込まれており、暖房用熱媒からの放熱により暖房する暖房端末と、暖房回路に組み込まれており、燃料の燃焼により暖房用熱媒を加熱する燃焼器と、暖房回路に組み込まれた循環ポンプと、暖房回路に暖房用熱媒を供給する暖房用熱媒供給手段と、制御装置を備える暖房装置が開示されている。制御装置は、暖房試運転を実行可能に構成されている。制御装置は、暖房試運転において、暖房回路が暖房用熱媒で満たされるように、暖房用熱媒供給手段で暖房回路に暖房用熱媒を供給しながら循環ポンプを駆動する暖房用熱媒供給運転と、暖房用熱媒供給運転の後に、循環ポンプを駆動して暖房端末と燃焼器に暖房用熱媒を循環させながら、燃焼器による暖房用熱媒の加熱を行って、暖房端末が正常に接続されているか否かを判定する暖房端末試運転を実行するように構成されている。
【先行技術文献】
【特許文献】
【０００３】
【特許文献１】特開２００６−３２９５４１号公報
【発明の概要】
【発明が解決しようとする課題】
【０００４】
暖房装置における暖房用熱媒の加熱源として、燃焼器だけでなく、自然環境からの吸熱により暖房用熱媒を加熱するヒートポンプを組み込むことで、燃焼器による加熱の利点とヒートポンプによる加熱の利点を併せ持った暖房装置を実現することができる。しかしながら、燃焼器とヒートポンプの両方を組み込んだ暖房装置においては、暖房試運転において、暖房端末が正常に接続されているか否かだけでなく、ヒートポンプが正常に接続されているか否かについても適切に判定する必要が生じる。
【０００５】
通常、暖房端末が正常に接続されているか否かを判定する際には、暖房用熱媒を加熱しながら暖房端末に循環させて、暖房端末での温度上昇が検出されるか否かによって行われる。このため、暖房端末が正常に接続されているか否かを判定する際には、暖房用熱媒を加熱する際の温度上昇幅が大きい燃焼器によって暖房用熱媒を加熱することが好ましい。一方、ヒートポンプが正常に接続されているか否かを判定するためには、ヒートポンプに暖房用熱媒を循環させながらヒートポンプで暖房用熱媒を加熱し、暖房用熱媒の温度上昇の様子を検出する必要がある。燃焼器とは異なり、ヒートポンプによる暖房用熱媒の加熱は温度上昇幅が小さいため、ヒートポンプが正常に接続されているか否かを判定する時点では、暖房回路の内部の暖房用熱媒の温度は可能な限り低い方が、正確な判定を行いやすい。しかしながら、ヒートポンプが正常に接続されているか否かを判定する前に、暖房端末が正常に接続されているか否かを判定してしまうと、燃焼器による加熱によって暖房回路内の暖房用熱媒の温度が上昇してしまい、ヒートポンプが正常に接続されているか否かを適切に判定することが困難となる。
【０００６】
本明細書では、上記の課題を解決する技術を提供する。本明細書では、暖房用熱媒の加熱源として燃焼器とヒートポンプの両方を備える暖房装置において、暖房試運転を適切に行うことが可能な技術を提供する。
【課題を解決するための手段】
【０００７】
本明細書が開示する暖房装置は、暖房用熱媒が循環する暖房回路と、暖房回路に組み込まれており、暖房用熱媒からの放熱により暖房する暖房端末と、暖房回路に組み込まれており、自然環境からの吸熱により暖房用熱媒を加熱するヒートポンプと、暖房回路に組み込まれており、燃料の燃焼により暖房用熱媒を加熱する燃焼器と、暖房回路に組み込まれた循環ポンプと、暖房回路に暖房用熱媒を供給する暖房用熱媒供給手段と、制御装置を備えている。制御装置は、暖房試運転を実行可能に構成されている。制御装置は、暖房試運転において、暖房回路が暖房用熱媒で満たされるように、暖房用熱媒供給手段で暖房回路に暖房用熱媒を供給しながら循環ポンプを駆動する暖房用熱媒供給運転と、暖房用熱媒供給運転の後に、循環ポンプを駆動してヒートポンプに暖房用熱媒を循環させながら、ヒートポンプによる暖房用熱媒の加熱を行って、ヒートポンプが正常に接続されているか否かを判定するヒートポンプ暖房試運転と、ヒートポンプ暖房試運転の後に、循環ポンプを駆動して暖房端末と燃焼器に暖房用熱媒を循環させながら、燃焼器による暖房用熱媒の加熱を行って、暖房端末が正常に接続されているか否かを判定する暖房端末試運転を実行するように構成されている。
【０００８】
上記の暖房装置では、暖房試運転において、燃焼器によって暖房用熱媒を加熱する暖房端末試運転を行う前に、ヒートポンプが正常に接続されているか否かを判定するヒートポンプ暖房試運転を実行する。これによって、ヒートポンプ暖房試運転を実行する時点での暖房回路内の暖房用熱媒の温度を低く保つことができ、ヒートポンプが正常に接続されているか否かを正確に判定することができる。
【０００９】
上記の暖房装置は、暖房端末として、互いに並列に接続された複数の暖房端末を備えており、複数の暖房端末のそれぞれが、その暖房端末に暖房用熱媒が流れる経路を開閉する開閉弁を備えており、ヒートポンプが、複数の暖房端末に対して直列に接続されており、制御装置が、ヒートポンプ暖房試運転において、一部の暖房端末の開閉弁のみを開くように構成されていてもよい。
【００１０】
上記の暖房装置では、ヒートポンプ暖房試運転において、ヒートポンプを循環する暖房用熱媒の流量を少なくすることができる。これによって、ヒートポンプで暖房用熱媒を加熱するときの温度上昇幅が大きくなり、ヒートポンプが正常に接続されているか否かを、より正確に判定することができる。
【００１１】
上記の暖房装置は、制御装置が、ヒートポンプ暖房試運転において、循環ポンプを駆動してヒートポンプに暖房用熱媒を循環させた状態で、暖房用熱媒の温度が安定するまで待機し、暖房用熱媒の温度が安定すると、ヒートポンプによる暖房用熱媒の加熱を開始するように構成されていてもよい。
【００１２】
ヒートポンプ暖房試運転を実行する際には、暖房回路の内部の暖房用熱媒に場所による温度のばらつきが存在する場合がある。上記の暖房装置によれば、ヒートポンプ暖房試運転において、循環ポンプを駆動した状態で暖房用熱媒の温度が安定してから、ヒートポンプによる暖房用熱媒の加熱を開始する。このような構成とすることによって、ヒートポンプが正常に接続されているか否かを、より正確に判定することができる。
【図面の簡単な説明】
【００１３】
【図１】実施例の給湯暖房装置２の概略の構成を模式的に示す図である。
【図２】実施例の給湯暖房装置２の暖房試運転を示すフローチャートである。
【図３】実施例の給湯暖房装置２の暖房用水供給運転を示すフローチャートである。
【図４】実施例の給湯暖房装置２のＨＰ（ヒートポンプ）暖房試運転を示すフローチャートである。
【図５】実施例の給湯暖房装置２の個別暖房端末試運転を示すフローチャートである。
【発明を実施するための形態】
【００１４】
（実施例）
図１は、本実施例の暖房装置が組み込まれた給湯暖房装置２を示している。給湯暖房装置２は、タンクユニット４と、ＨＰ（ヒートポンプ）ユニット６と、燃焼器ユニット８を備えている。
【００１５】
ＨＰユニット６は、ＨＰ（ヒートポンプ）装置５０と、循環ポンプ２２を備えている。ＨＰ装置５０は、冷媒（例えばＲ４１０ＡといったＨＦＣ冷媒や、ＣＯ２、イソブタン、プロパン等の自然冷媒など）を循環させるための冷媒循環路５２と、空気熱交換器５４と、ファン５６と、圧縮機６２と、給湯用熱交換器５１と、給湯用膨張弁５８と、暖房用熱交換器５３と、暖房用膨張弁５９を備えている。ＨＰ装置５０では、空気熱交換器５４が蒸発器を構成しており、給湯用熱交換器５１と暖房用熱交換器５３が凝縮器を構成している。なお、図示はしていないが、冷媒循環路５２の各所には、冷媒の温度を検出するサーミスタが設けられている。
【００１６】
空気熱交換器５４は、ファン５６によって送風された外気と冷媒循環路５２内の冷媒との間で熱交換させる。空気熱交換器５４には、給湯用膨張弁５８および暖房用膨張弁５９を通過後の低圧低温の液体状態にある冷媒が供給される。空気熱交換器５４は、冷媒と外気とを熱交換させることによって、冷媒を加熱する。冷媒は、加熱されることにより気化し、低圧の気体状態となる。
【００１７】
圧縮機６２には、空気熱交換器５４を通過後の冷媒が供給される。即ち、圧縮機６２には、低圧の気体状態の冷媒が供給される。圧縮機６２によって冷媒が圧縮されることにより、冷媒は高温高圧の気体状態となる。圧縮機６２は、圧縮後の高温高圧の気体状態の冷媒を、給湯用熱交換器５１と暖房用熱交換器５３に送り出す。圧縮機６２から送り出された冷媒は、分岐して給湯用熱交換器５１と暖房用熱交換器５３にそれぞれ流入する。
【００１８】
給湯用熱交換器５１には、圧縮機６２から送り出された高温高圧の気体状態の冷媒が供給される。給湯用熱交換器５１は、冷媒循環路５２内の冷媒と、後述の給湯用水循環路２０内の水（以下では給湯用水ともいう）との間で熱交換を行う。給湯用熱交換器５１を通過した冷媒は、給湯用膨張弁５８へ送られる。給湯用膨張弁５８には、給湯用熱交換器５１を通過後の比較的低温で高圧の液体状態の冷媒が供給される。冷媒は、給湯用膨張弁５８を通過することによって減圧され、低温低圧の液体状態となる。給湯用膨張弁５８を通過した冷媒は、暖房用膨張弁５９を通過した冷媒と合流して、空気熱交換器５４に送られる。
【００１９】
暖房用熱交換器５３には、圧縮機６２から送り出された高温高圧の気体状態の冷媒が供給される。暖房用熱交換器５３は、冷媒循環路５２内の冷媒と、後述の第２暖房加熱路８４からの水（以下では暖房用水ともいう）との間で熱交換を行う。暖房用熱交換器５３を通過した冷媒は、暖房用膨張弁５９へ送られる。暖房用膨張弁５９には、暖房用熱交換器５３を通過後の比較的低温で高圧の液体状態の冷媒が供給される。冷媒は、暖房用膨張弁５９を通過することによって減圧され、低温低圧の液体状態となる。暖房用膨張弁５９を通過した冷媒は、給湯用膨張弁５８を通過した冷媒と合流して、空気熱交換器５４に送られる。
【００２０】
ＨＰ装置５０において、圧縮機６２を作動させると、冷媒循環路５２内の冷媒は、圧縮機６２、給湯用熱交換器５１、給湯用膨張弁５８、空気熱交換器５４の順に循環するとともに、圧縮機６２、暖房用熱交換器５３、暖房用膨張弁５９、空気熱交換器５４の順に循環する。この場合、ＨＰ装置５０は、空気熱交換器５４において自然環境である外気から吸熱して、給湯用熱交換器５１において給湯用水循環路２０内の給湯用水を加熱し、かつ暖房用熱交換器５３において第２暖房加熱路８４内の暖房用水を加熱する。なお、ＨＰ装置５０において、給湯用膨張弁５８を全閉として圧縮機６２を作動させると、冷媒は、圧縮機６２、暖房用熱交換器５３、暖房用膨張弁５９、空気熱交換器５４の順に循環する。この場合、ＨＰ装置５０は、空気熱交換器５４において自然環境である外気から吸熱して、暖房用熱交換器５３において第２暖房加熱路８４内の暖房用水を加熱する。また、ＨＰ装置５０において、暖房用膨張弁５９を全閉として圧縮機６２を作動させると、冷媒は、圧縮機６２、給湯用熱交換器５１、給湯用膨張弁５８、空気熱交換器５４の順に循環する。この場合、ＨＰ装置５０は、空気熱交換器５４において自然環境である外気から吸熱して、給湯用熱交換器５１において給湯用水循環路２０内の給湯用水を加熱する。
【００２１】
タンクユニット４は、タンク１０を備えている。タンク１０は、ＨＰ装置５０によって加熱された給湯用水を貯える。本実施例の給湯用水は、水道水である。タンク１０は、密閉型であり、断熱材によって外側が覆われている。タンク１０内には満水まで給湯用水が貯留される。
【００２２】
給湯用水循環路２０は、上流端がタンク１０の下部に接続されており、ＨＰユニット６の給湯用熱交換器５１を通過して、下流端がタンク１０の上部に接続されている。給湯用水循環路２０には、ＨＰユニット６の循環ポンプ２２が介装されている。ＨＰユニット６において、ＨＰ装置５０を作動させて、循環ポンプ２２を駆動すると、タンク１０の下部の給湯用水が給湯用熱交換器５１に送られて加熱され、加熱された給湯用水がタンク１０の上部に戻される。タンク１０の内部には、低温の給湯用水の層の上に高温の給湯用水の層が積み重なった温度成層が形成される。
【００２３】
水道水導入路２４には、給湯暖房装置２の外部の水道水供給源（図示せず）から水道水が供給される。水道水導入路２４は、第１導入路２４ａと第２導入路２４ｂに分岐している。第１導入路２４ａの下流端は、タンク１０の下部に接続されている。第２導入路２４ｂの下流端は、第１給湯路３６の途中に接続されている。
【００２４】
第１給湯路３６は、上流端がタンク１０の上部に接続されている。上述したように、第１給湯路３６の途中には、水道水導入路２４の第２導入路２４ｂが接続されている。第１給湯路３６と第２導入路２４ｂの接続部には、混合弁３０が介装されている。混合弁３０は、タンク１０の上部から第１給湯路３６へ流入する高温の給湯用水の流量と、第２導入路２４ｂから第１給湯路３６へ流入する低温の水道水の流量の割合を調整する。第２導入路２４ｂとの接続部より下流側の第１給湯路３６は、燃焼器ユニット８の給湯加熱路３７を通過して、第２給湯路３９へ接続している。第１給湯路３６と第２給湯路３９の間は、燃焼器バイパス路３３によって接続されている。燃焼器バイパス路３３にはバイパス弁３４が介装されている。第２給湯路３９の下流端は給湯栓３８に接続されている。
【００２５】
燃焼器ユニット８は、シスターン７０と、給湯用燃焼器８１と、暖房用燃焼器８２を備えている。シスターン７０は、上部が開放されているタンクであり、内部に暖房用水を貯留している。本実施例の暖房用水は例えば水道水である。シスターン７０には、低水位電極６４と、高水位電極６６が設けられている。低水位電極６４は、シスターン７０の水位が所定の第１水位に達するとＯＮとなり、シスターン７０の水位が第１水位に満たないとＯＦＦとなる。高水位電極６６は、シスターン７０の水位が第１水位よりも高い所定の第２水位に達するとＯＮとなり、シスターン７０の水位が第２水位に満たないとＯＦＦとなる。また、シスターン７０には、給湯暖房装置２の外部の水道水供給源（図示せず）から、補水経路６８を介して、水道水が供給される。補水経路６８には、補水経路６８を開閉する補水弁６９が設けられている。
【００２６】
シスターン７０には、暖房往路７２の上流端が接続されている。暖房往路７２には、循環ポンプ７４が介装されている。循環ポンプ７４を駆動すると、シスターン７０内の暖房用水が暖房往路７２に流れ込む。
【００２７】
暖房往路７２の下流端は、第１暖房加熱路７３と、低温暖房循環路７５に分岐している。第１暖房加熱路７３には、暖房用燃焼器８２が介装されている。暖房用燃焼器８２は、燃料ガスの燃焼によって第１暖房加熱路７３内の暖房用水を加熱する。暖房用燃焼器８２には、給湯暖房装置２の外部の燃料ガス供給源（図示せず）から燃料ガスが供給される。第１暖房加熱路７３の下流端は、高温暖房循環路７７と追い焚き循環路７９に分岐している。高温暖房循環路７７には、高温暖房端末７６が取り付けられている。本実施例の高温暖房端末７６は、例えばファンコンベクタである。高温暖房端末７６は、供給される暖房用水の熱を利用して暖房する。高温暖房端末７６は、高温暖房端末７６に暖房用水が流れる経路を開閉する熱動弁（図示せず）と、供給される暖房用水の温度を検出するサーミスタ（図示せず）を備えている。高温暖房循環路７７の下流端は、暖房復路９６の上流端に接続している。暖房復路９６の下流端は、シスターン７０に接続している。なお、高温暖房循環路７７の高温暖房端末７６よりも上流側からは、暖房端末バイパス路７１が分岐している。暖房端末バイパス路７１は、暖房復路９６に合流している。
【００２８】
追い焚き循環路７９には、追い焚き熱動弁８３と、追い焚き熱交換器９７が介装されている。追い焚き熱動弁８３は、追い焚き循環路７９を開閉する。追い焚き熱交換器９７では、追い焚き循環路７９を流れる暖房用水と、浴槽水循環路９１を流れる浴槽水の間で熱交換が行われる。追い焚き循環路７９の下流端は、暖房復路９６に接続している。
【００２９】
低温暖房循環路７５には、低温暖房端末７８ａ、７８ｂ、７８ｃが取り付けられている。本実施例の低温暖房端末７８ａ、７８ｂ、７８ｃは、例えば床暖房端末である。低温暖房端末７８ａ、７８ｂ、７８ｃは、供給される暖房用水の熱を利用して暖房する。低温暖房端末７８ａ、７８ｂ、７８ｃのそれぞれは、その低温暖房端末７８ａ、７８ｂ、７８ｃに暖房用水が流れる経路を開閉する熱動弁（図示せず）と、供給される暖房用水の温度を検出するサーミスタ（図示せず）を備えている。低温暖房端末７８ａ、７８ｂ、７８ｃは、互いに並列に接続されている。低温暖房循環路７５の下流端は、第２暖房加熱路８４の上流端に接続している。低温暖房循環路７５を流れる暖房用水は、分岐して低温暖房端末７８ａ、７８ｂ、７８ｃのそれぞれを流れた後、合流して第２暖房加熱路８４へ送られる。
【００３０】
第２暖房加熱路８４には、ＨＰユニット６の暖房用熱交換器５３が取り付けられている。第２暖房加熱路８４の、暖房用熱交換器５３よりも上流側と、暖房用熱交換器５３よりも下流側は、ＨＰバイパス路４４によって接続されている。暖房用熱交換器５３よりも上流側の第２暖房加熱路８４と、ＨＰバイパス路４４の接続箇所には、分流弁４６が介装されている。分流弁４６は、第２暖房加熱路８４において、暖房用熱交換器５３を通過して流れる暖房用水の流量と、暖房用熱交換器５３をバイパスして流れる暖房用水の流量の割合を調整する。ＨＰバイパス路４４と分流弁４６は、タンクユニット４の内部に収容されている。第２暖房加熱路８４の下流端は、暖房復路９６に合流している。第２暖房加熱路８４には、サーミスタ８４ａ、８４ｂ、８４ｃ、８４ｄが設けられている。サーミスタ８４ａは、分流弁４６より上流側での暖房用水の温度を検出する。サーミスタ８４ｂは、暖房用熱交換器５３より下流側であって、ＨＰバイパス路４４の接続箇所よりも下流側での暖房用水の温度を検出する。サーミスタ８４ｃは、分流弁４６より下流側であって、暖房用熱交換器５３より上流側での暖房用水の温度を検出する。サーミスタ８４ｄは、暖房用熱交換器５３より下流側であって、ＨＰバイパス路４４の接続箇所よりも上流側での暖房用水の温度を検出する。サーミスタ８４ａ、８４ｂは、タンクユニット４の内部に収容されている。サーミスタ８４ｃ、８４ｄは、ＨＰユニット６の内部に収容されている。
【００３１】
上記のように、給湯暖房装置２においては、シスターン７０、暖房往路７２、第１暖房加熱路７３、低温暖房循環路７５、高温暖房循環路７７、暖房端末バイパス路７１、追い焚き循環路７９、第２暖房加熱路８４、ＨＰバイパス路４４、暖房復路９６によって、暖房用水が循環する暖房回路が構成されている。なお、図示はしていないが、暖房回路の各所には、暖房用水の温度を検出するサーミスタが設けられている。
【００３２】
浴槽水循環路９１の上流端は、浴槽９８の底部に接続している。浴槽水循環路９１の下流端は、浴槽９８の側部に接続している。浴槽水循環路９１には、循環ポンプ９９が介装されている。循環ポンプ９９が駆動すると、浴槽９８の底部から吸い出された浴槽水が、追い焚き熱交換器９７を通過して、浴槽９８の側部へ戻される。
【００３３】
給湯加熱路３７には、給湯用燃焼器８１が介装されている。給湯用燃焼器８１は、燃料ガスの燃焼によって給湯加熱路３７内の給湯用水を加熱する。給湯用燃焼器８１には、給湯暖房装置２の外部の燃料ガス供給源（図示せず）から燃料ガスが供給される。給湯加熱路３７の給湯用燃焼器８１よりも下流側から、浴槽注湯路４０が分岐している。浴槽注湯路４０には、浴槽注湯路４０を開閉する注湯電磁弁４２が介装されている。浴槽注湯路４０の下流端は、循環ポンプ９９に接続している。
【００３４】
上記のように、給湯暖房装置２においては、水道水導入路２４（第１導入路２４ａおよび第２導入路２４ｂ）、タンク１０、給湯用水循環路２０、第１給湯路３６、給湯加熱路３７、第２給湯路３９、燃焼器バイパス路３３、浴槽注湯路４０によって、給湯用水が流れる給湯回路が構成されている。なお、図示はしていないが、給湯回路の各所には、給湯用水の温度を検出するサーミスタが設けられている。
【００３５】
タンクユニット４は、コントローラ１２を備えている。コントローラ１２は、タンクユニット４の内部の各構成要素の動作を制御する。
【００３６】
ＨＰユニット６は、コントローラ１４を備えている。コントローラ１４は、ＨＰユニット６の内部の各構成要素の動作を制御する。コントローラ１４は、タンクユニット４のコントローラ１２と通信可能である。
【００３７】
燃焼器ユニット８は、コントローラ１６と、リモコン１８を備えている。コントローラ１６は、燃焼器ユニット８の内部の各構成要素の動作を制御する。コントローラ１６は、タンクユニット４のコントローラ１２と通信可能である。また、コントローラ１６は、高温暖房端末７６、低温暖房端末７８ａ、７８ｂ、７８ｃと通信可能であり、これらの動作を制御可能である。リモコン１８は、コントローラ１６に接続されている。リモコン１８には、給湯暖房装置２を操作するためのスイッチやボタン、給湯暖房装置２の動作状態を報知する液晶表示器やスピーカ等が設けられている。
【００３８】
給湯暖房装置２は、以下のように、蓄熱運転、給湯運転、暖房運転、湯はり運転、追い焚き運転等を実施することができる。
【００３９】
（蓄熱運転）
蓄熱運転では、給湯暖房装置２は、タンク１０内の給湯用水をＨＰ装置５０で加熱し、高温となった給湯用水をタンク１０に戻す。蓄熱運転を実行する際には、ＨＰユニット６が、給湯用膨張弁５８を開いた状態で圧縮機６２およびファン５６を駆動するとともに、循環ポンプ２２を駆動する。
【００４０】
圧縮機６２の駆動により、冷媒循環路５２内の冷媒は、圧縮機６２、給湯用熱交換器５１、給湯用膨張弁５８、空気熱交換器５４の順に循環する。この場合、給湯用熱交換器５１を通過する冷媒循環路５２内の冷媒は、高温高圧の気体状態である。また、循環ポンプ２２の駆動により、給湯用水循環路２０内をタンク１０内の給湯用水が循環する。即ち、タンク１０の下部に存在する給湯用水が給湯用水循環路２０内に導入され、導入された給湯用水が給湯用熱交換器５１を通過する際に、冷媒循環路５２内の冷媒の熱によって加熱され、加熱された給湯用水がタンク１０の上部に戻される。これにより、タンク１０に高温の給湯用水が貯められる。タンク１０の内部が高温の給湯用水で満たされた満蓄状態となると、給湯暖房装置２は蓄熱運転を終了する。
【００４１】
（給湯運転）
給湯運転は、タンク１０内の給湯用水を給湯栓３８に供給する運転である。給湯運転は、上記の蓄熱運転と並行して行うこともできる。給湯栓３８が開かれると、水道水供給源（図示せず）からの水圧によって、水道水導入路２４から第１導入路２４ａを介してタンク１０の下部に水道水が流入する。同時に、タンク１０上部の給湯用水が、第１給湯路３６を介して給湯栓３８に供給される。
【００４２】
タンク１０から第１給湯路３６に供給される給湯用水の温度が、給湯設定温度より高い場合には、タンクユニット４が混合弁３０を駆動して、第２導入路２４ｂから第１給湯路３６に水道水を導入する。従って、タンク１０から供給された給湯用水と第２導入路２４ｂから供給された水道水とが、第１給湯路３６内で混合される。タンクユニット４は、給湯栓３８に供給される給湯用水の温度が、給湯設定温度と一致するように、混合弁３０の開度を調整する。一方、タンク１０から第１給湯路３６に供給される給湯用水の温度が、給湯設定温度より低い場合には、燃焼器ユニット８が給湯用燃焼器８１によって第１給湯路３６を通過する水を加熱する。燃焼器ユニット８は、給湯栓３８に供給される給湯用水の温度が、給湯設定温度と一致するように、給湯用燃焼器８１で燃焼させる燃料ガス量を制御する。
【００４３】
（暖房運転）
暖房運転は、ＨＰ装置５０および／または暖房用燃焼器８２によって暖房用水を加熱し、高温となった暖房用水を用いて低温暖房端末７８ａ、７８ｂや高温暖房端末７６によって暖房する運転である。暖房運転は、上記の蓄熱運転や給湯運転と並行して行うこともできる。利用者によって暖房運転の実行が指示されると、燃焼器ユニット８が、循環ポンプ７４を回転させるとともに、ＨＰユニット６が、暖房用膨張弁５９を開いた状態で圧縮機６２およびファン５６を駆動する。
【００４４】
圧縮機６２の駆動により、冷媒循環路５２内の冷媒は、圧縮機６２、暖房用熱交換器５３、暖房用膨張弁５９、空気熱交換器５４の順に循環する。この場合、暖房用熱交換器５３を通過する冷媒循環路５２内の冷媒は、高温高圧の気体状態である。また、循環ポンプ７４の駆動により、第２暖房加熱路８４を暖房用水が循環する。第２暖房加熱路８４を循環する暖房用水は、暖房用熱交換器５３を通過する際に、冷媒循環路５２内の冷媒の熱によって加熱される。暖房用熱交換器５３で加熱された暖房用水は、シスターン７０を経て、低温暖房端末７８ａ、７８ｂ、７８ｃや高温暖房端末７６に供給される。さらに、燃焼器ユニット８は、必要に応じて暖房用燃焼器８２を作動する。これにより、高温暖房端末７６には、暖房用燃焼器８２での加熱によってさらに高温となった暖房用水が供給される。暖房運転においては、低温暖房端末７８ａ、７８ｂ、７８ｃに供給される暖房用水の温度が低温暖房設定温度となるように、また高温暖房端末７６に供給される暖房用水の温度が高温暖房設定温度となるように、ＨＰユニット６におけるＨＰ装置５０の動作や、燃焼器ユニット８が暖房用燃焼器８２で燃焼させる燃料ガス量が調整される。
【００４５】
（湯はり運転）
湯はり運転は浴槽９８に湯はりをする運転である。利用者が湯はり運転の開始を指示すると、燃焼器ユニット８は注湯電磁弁４２を開く。注湯電磁弁４２が開くと、水道水供給源からの水圧によって、水道水導入路２４から第１導入路２４ａを介してタンク１０の下部に水道水が流入する。同時に、タンク１０上部の給湯用水が、第１給湯路３６、浴槽注湯路４０、浴槽水循環路９１を介して浴槽９８に供給される。湯はり運転においては、給湯運転と同様にして、浴槽注湯路４０に供給される水の温度が湯はり設定温度に調整される。浴槽９８に供給される水の水量が湯はり設定水量に達すると、湯はり運転は終了する。
【００４６】
（追い焚き運転）
追い焚き運転は、浴槽９８に貯められた浴槽水を追い焚きする運転である。利用者が追い焚き運転の開始を指示すると、燃焼器ユニット８は、循環ポンプ９９を駆動する。また、燃焼器ユニット８は、追い焚き熱動弁８３を開いて、循環ポンプ７４を駆動する。これにより、浴槽９８の底部から浴槽水が吸い出されて、追い焚き熱交換器９７で暖房用水との熱交換によって加熱される。加熱された浴槽水は、浴槽９８の側部へ戻される。追い焚き運転においては、暖房用燃焼器８２による暖房用水の加熱が行われる。浴槽９８の水温が追い焚き設定温度に達すると、追い焚き運転は終了する。
【００４７】
（自動試運転）
給湯暖房装置２は、給湯試運転、暖房試運転などの各種の自動試運転を実行可能である。燃焼器ユニット８のコントローラ１６には、給湯暖房装置２が実行可能な各種の自動試運転に対応して、試運転開始スイッチ、試運転結果確認スイッチ、エラー呼び出しスイッチ、エラーリセットスイッチなどのスイッチと、自動試運転の結果を表示する表示用ＬＥＤが設けられている。給湯暖房装置２を家屋へ設置する際には、施工業者はコントローラ１６を介して給湯暖房装置２に各種の自動試運転を実行させることができるとともに、各種の自動試運転の結果を知ることができる。また、リモコン１８は、コントローラ１６と同様に、給湯暖房装置２が実行可能な各種の自動試運転に対応して、試運転開始、試運転結果確認、エラー呼び出し、エラーリセットなどの指示を入力可能であるとともに、自動試運転の結果を表示可能に構成されている。したがって、施工業者は、リモコン１８を介して給湯暖房装置２に各種の自動試運転を実行させることもできる。
【００４８】
（暖房試運転）
以下では図２−図５を参照しながら、給湯暖房装置２が行う暖房試運転について説明する。図２に示すように、暖房試運転においては、給湯暖房装置２は、暖房用水供給運転（ステップＳ２）、ＨＰ暖房試運転（ステップＳ４）、個別暖房端末試運転（ステップＳ６）を順に実行する。
【００４９】
図３は、暖房用水供給運転において給湯暖房装置２が行う動作を示している。
【００５０】
ステップＳ１２では、給湯暖房装置２は、暖房用燃焼器８２が暖房用水の加熱を行っている場合には、暖房用燃焼器８２による暖房用水の加熱を停止する。
【００５１】
ステップＳ１４では、給湯暖房装置２は、ＨＰ装置５０が暖房用水の加熱を行っている場合には、ＨＰ装置５０による暖房用水の加熱を停止する。
【００５２】
ステップＳ１６では、給湯暖房装置２は、全ての暖房端末、すなわち高温暖房端末７６、低温暖房端末７８ａ、７８ｂ、７８ｃに対して、試運転の実行を指示する。これにより、高温暖房端末７６、低温暖房端末７８ａ、７８ｂ、７８ｃは、それぞれの暖房端末での試運転を開始する。
【００５３】
ステップＳ１８では、給湯暖房装置２は、全ての暖房端末、すなわち高温暖房端末７６、低温暖房端末７８ａ、７８ｂ、７８ｃの熱動弁を開く。
【００５４】
ステップＳ２０では、給湯暖房装置２は、補水弁６９を開く。これによって、水道水供給源（図示せず）から補水経路６８を介してシスターン７０に暖房用水が供給される。
【００５５】
ステップＳ２２では、給湯暖房装置２は、循環ポンプ７４が駆動している場合には、循環ポンプ７４を停止する。
【００５６】
ステップＳ２４では、給湯暖房装置２は、シスターン７０の低水位電極６４がＯＮになるまで待機する。ステップＳ２４では、補水経路６８の補水弁６９が開かれており、かつ循環ポンプ７４は停止している。この状態で、シスターン７０の水位が第１水位まで上昇して、低水位電極６４がＯＮとなると（ステップＳ２４でＹＥＳとなると）、ステップＳ２６へ進む。
【００５７】
ステップＳ２６では、給湯暖房装置２は、循環ポンプ７４を駆動する。これによって、シスターン７０から暖房往路７２、第１暖房加熱路７３、低温暖房循環路７５、高温暖房循環路７７、暖房端末バイパス路７１、追い焚き循環路７９、第２暖房加熱路８４、ＨＰバイパス路４４、暖房復路９６に暖房用水が供給され、これらの配管の内部に残留している空気がシスターン７０から排出される。
【００５８】
ステップＳ２８では、給湯暖房装置２は、シスターン７０の低水位電極６４がＯＮであるか否かを判断する。循環ポンプ７４の駆動により、シスターン７０から暖房往路７２に暖房用水が送り出された結果、シスターン７０内の水位が低下して、低水位電極６４がＯＦＦとなると（ステップＳ２８においてＮＯとなると）、ステップＳ２２へ戻る。循環ポンプ７４を駆動した状態でも、シスターン７０内の水位が第１水位を超えており、シスターン７０の低水位電極６４がＯＮである場合には（ステップＳ２８においてＹＥＳの場合には）、ステップＳ３０へ進む。
【００５９】
ステップＳ３０では、給湯暖房装置２は、シスターン７０の高水位電極６６がＯＮになったか否かを判断する。高水位電極６６がＯＮになると（ＹＥＳとなると）、ステップＳ３２で、給湯暖房装置２は、暖房回路への暖房用水の供給が正常に終了したと判定する。そして、ステップＳ３４で、給湯暖房装置２は、循環ポンプ７４を停止し、ステップＳ３６で、給湯暖房装置２は、補水弁６９を閉じて、図２の暖房用水供給運転を終了する。
【００６０】
ステップＳ３０で、高水位電極６６がＯＮになっていない場合（ＮＯの場合）、ステップＳ３８へ進む。ステップＳ３８では、給湯暖房装置２は、循環ポンプ７４を駆動してからの経過時間が所定時間（例えば３０分）に達したか否かを判断する。循環ポンプ７４を駆動してからの経過時間が所定時間に達していない場合（ステップＳ３８でＮＯの場合）、ステップＳ２８へ戻る。
【００６１】
ステップＳ３８で、循環ポンプ７４を駆動してからの経過時間が所定時間に達すると（ＹＥＳとなると）、ステップＳ４０へ進む。ステップＳ４０で、給湯暖房装置２は、暖房回路への暖房用水の供給が正常に終了しなかったと判定する。ステップＳ４０の後、ステップＳ３４へ進む。
【００６２】
図３の暖房用水供給運転が正常に終了しなかった場合、給湯暖房装置２は、その旨をコントローラ１６またはリモコン１８に表示して、暖房試運転を終了する。図３の暖房用水供給運転が正常に終了した場合、給湯暖房装置２は、図４のＨＰ暖房試運転を開始する。
【００６３】
ステップＳ４２では、給湯暖房装置２は、ＨＰ暖房試運転で使用する低温暖房端末７８ａ、７８ｂ、７８ｃを選択する。本実施例の給湯暖房装置２では、ＨＰ装置５０の暖房用熱交換器５３は、低温暖房端末７８ａ、７８ｂ、７８ｃに対して直列に接続されている。従って、ＨＰ暖房試運転でＨＰ装置５０に暖房用水を循環させるためには、何れかの低温暖房端末７８ａ、７８ｂ、７８ｃを使用する必要がある。例えば、給湯暖房装置２は、ＨＰ暖房試運転で使用する暖房端末として、低温暖房端末７８ａを選択する。
【００６４】
ステップＳ４４では、給湯暖房装置２は、ステップＳ４２で選択された低温暖房端末７８ａに対応する熱動弁を開き、それ以外の低温暖房端末７８ｂ、７８ｃの熱動弁と、高温暖房端末７６の熱動弁を閉じる。
【００６５】
ステップＳ４６では、給湯暖房装置２は、循環ポンプ７４を駆動する。これによって、シスターン７０、暖房往路７２、低温暖房循環路７５、第２暖房加熱路８４、暖房復路９６を暖房用水が循環する。
【００６６】
ステップＳ４８では、給湯暖房装置２は、暖房用水の温度が安定するまで待機する。本実施例では、以下の（１）から（４）のすべての条件が満たされたときに、給湯暖房装置２は、暖房用水の温度が安定したと判断する。
（１）サーミスタ８４ｃの検出温度（以下では暖房入水温度ともいう）が所定温度（例えば３５℃）未満である。
（２）サーミスタ８４ａの検出温度（以下では暖房ＨＰ戻り温度ともいう）が所定温度（例えば３５℃）未満である。
（３）サーミスタ８４ｄの検出温度（以下では暖房出湯温度ともいう）とサーミスタ８４ｃの検出温度の差の絶対値が所定温度差（例えば１．５℃）以下である。
（４）サーミスタ８４ｂの検出温度（以下では暖房ＨＰ出湯温度ともいう）とサーミスタ８４ａの検出温度の差の絶対値が所定温度差（例えば１．５℃）以下である。
上記の（１）から（４）のすべての条件が満たされると、ステップＳ５０へ進む。
【００６７】
ステップＳ５０では、給湯暖房装置２は、暖房用膨張弁５９を開いた状態で圧縮機６２およびファン５６を駆動して、ＨＰ装置５０による暖房用水の加熱を開始する。
【００６８】
ステップＳ５２では、給湯暖房装置２は、暖房出湯温度（サーミスタ８４ｄの検出温度）が暖房入水温度（サーミスタ８４ｃの検出温度）に所定温度幅（例えば５℃）を加算した温度以上になったか否かを判断する。暖房出湯温度が暖房入水温度に所定温度幅を加算した温度以上になると（ステップＳ５２でＹＥＳとなると）、給湯暖房装置２は、ステップＳ５４で、第２暖房加熱路８４のタンクユニット４とＨＰユニット６の間の配管（以下ではＨＰ暖房配管ともいう）が正常に接続されていると判定する。そして、ステップＳ５６で、給湯暖房装置２は、圧縮機６２およびファン５６を停止して、ＨＰ装置５０による暖房用水の加熱を停止し、ステップＳ５８で、給湯暖房装置２は、循環ポンプ７４を停止し、図４のＨＰ暖房試運転を終了する。
【００６９】
ステップＳ５２で、暖房出湯温度が暖房入水温度に所定温度幅を加算した温度より低い場合（ステップＳ５２でＮＯの場合）、ステップＳ６０へ進む。ステップＳ６０では、給湯暖房装置２は、ＨＰ装置５０による加熱を開始してからの経過時間が所定時間（例えば２０分）に達したか否かを判断する。ＨＰ装置５０による加熱を開始してからの経過時間が所定時間に達していない場合（ステップＳ６０でＮＯの場合）、ステップＳ５２へ戻る。
【００７０】
ステップＳ６０で、ＨＰ装置５０による加熱を開始してからの経過時間が所定時間に達すると（ＹＥＳとなると）、ステップＳ６２で、給湯暖房装置２は、ＨＰ暖房配管が誤って接続されていると判定する。ステップＳ６２の後、ステップＳ５６へ進む。
【００７１】
図４のＨＰ暖房試運転が終了すると、給湯暖房装置２は、図５の個別暖房端末試運転を開始する。なお、給湯暖房装置２は、図４のＨＰ暖房試運転の結果が正常であっても、異常であっても、図５の個別暖房端末試運転を実行する。
【００７２】
ステップＳ６４では、給湯暖房装置２は、全ての暖房端末、すなわち高温暖房端末７６、低温暖房端末７８ａ、７８ｂ、７８ｃの中から、１つの暖房端末を選択する。
【００７３】
ステップＳ６６では、給湯暖房装置２は、ステップＳ６４で選択された暖房端末に対応する熱動弁を開き、それ以外の暖房端末の熱動弁を閉じる。
【００７４】
ステップＳ６８では、給湯暖房装置２は、循環ポンプ７４を駆動する。これによって、シスターン７０と選択された暖房端末の間で暖房用水が循環する。
【００７５】
ステップＳ７０では、給湯暖房装置２は、シスターン７０の高水位電極６６がＯＮであるか否かを判断する。選択された暖房端末の暖房用水の経路にまだ空気が残っており、暖房用水の供給が完全に行われていない場合には、循環ポンプ７４の駆動によってシスターン７０の水位が低下する。シスターン７０の水位が低下して、高水位電極６６がＯＦＦになると（ステップＳ７０でＮＯとなると）、ステップＳ７２へ進む。
【００７６】
ステップＳ７２では、給湯暖房装置２は、補水弁６９を開く。これによって、水道水供給源（図示せず）から補水経路６８を介してシスターン７０に暖房用水が供給される。
【００７７】
ステップＳ７４では、給湯暖房装置２は、シスターン７０の高水位電極６６がＯＮになるまで待機する。高水位電極６６がＯＮになると（ステップＳ７４でＹＥＳとなると）、ステップＳ７６へ進む。
【００７８】
ステップＳ７６では、給湯暖房装置２は、補水弁６９を閉じる。ステップＳ７６の後、ステップＳ７８へ進む。
【００７９】
なお、ステップＳ７０で、シスターン７０の高水位電極６６がＯＮの場合（ＹＥＳの場合）には、ステップＳ７２、Ｓ７４およびＳ７６を行うことなく、ステップＳ７８へ進む。
【００８０】
ステップＳ７８では、給湯暖房装置２は、暖房用燃焼器８２による暖房用水の加熱を開始する。
【００８１】
ステップＳ８０では、給湯暖房装置２は、ステップＳ６４で選択された暖房端末において暖房用水の温度上昇が検出されたか否かを判断する。選択された暖房端末で温度上昇が検出された場合（ステップＳ８０でＹＥＳの場合）、ステップＳ８２で、給湯暖房装置２は、選択された暖房端末の配管が正常に接続されていると判断する。ステップＳ８２の後、ステップＳ９０へ進む。
【００８２】
ステップＳ８０で、選択された暖房端末で温度上昇が検出されない場合（ＮＯの場合）、ステップＳ８４へ進む。ステップＳ８４では、給湯暖房装置２は、暖房用燃焼器８２で加熱を開始してからの経過時間が所定時間（例えば２０分）に達したか否かを判断する。暖房用燃焼器８２で加熱を開始してからの経過時間が所定時間に満たない場合（ステップＳ８４でＮＯの場合）、ステップＳ８０へ戻る。
【００８３】
ステップＳ８４で、暖房用燃焼器８２で加熱を開始してからの経過時間が所定時間に達した場合（ＹＥＳの場合）、ステップＳ８６へ進む。ステップＳ８６では、給湯暖房装置２は、選択された暖房端末の配管が正常に接続されていないと判断する。ステップＳ８６の後、ステップＳ９０へ進む。
【００８４】
ステップＳ９０では、給湯暖房装置２は、暖房用燃焼器８２による暖房用水の加熱を停止する。
【００８５】
ステップＳ９２では、給湯暖房装置２は、循環ポンプ７４を停止する。
【００８６】
ステップＳ９４では、給湯暖房装置２は、全ての暖房端末、すなわち高温暖房端末７６、低温暖房端末７８ａ、７８ｂ、７８ｃについて、上記した試運転が終了したか否かを判断する。いまだ試運転を行っていない暖房端末がある場合（ステップＳ９４でＮＯの場合）、ステップＳ６４へ戻る。全ての暖房端末について試運転が終了した場合（ステップＳ９４でＹＥＳの場合）、図５の個別暖房端末試運転を終了する。
【００８７】
以上のように、本実施例の給湯暖房装置２は、暖房用水（暖房用熱媒に相当する）が循環する暖房回路と、暖房回路に組み込まれており、暖房用水からの放熱により暖房する低温暖房端末７８ａ、７８ｂ、７８ｃと、暖房回路に組み込まれており、自然環境からの吸熱により暖房用水を加熱するＨＰ装置５０と、暖房回路に組み込まれており、燃料ガスの燃焼により暖房用水を加熱する暖房用燃焼器８２と、暖房回路に組み込まれた循環ポンプ７４と、暖房回路に暖房用水を供給する補水経路６８および補水弁６９（暖房用熱媒供給手段に相当する）と、コントローラ１２、１４、１６（制御装置に相当する）を備えている。コントローラ１２、１４、１６は、暖房試運転を実行可能に構成されている。コントローラ１２、１４、１６は、暖房試運転において、暖房回路が暖房用水で満たされるように、補水経路６８および補水弁６９で暖房回路に暖房用水を供給しながら循環ポンプ７４を駆動する暖房用熱媒供給運転（図３参照）と、暖房用熱媒供給運転の後に、循環ポンプ７４を駆動してＨＰ装置５０に暖房用水を循環させながら、ＨＰ装置５０による暖房用水の加熱を行って、ＨＰ装置５０が正常に接続されているか否かを判定するＨＰ暖房試運転（図４参照）と、ＨＰ暖房試運転の後に、循環ポンプ７４を駆動して低温暖房端末７８ａ、７８ｂ、７８ｃと暖房用燃焼器８２に暖房用水を循環させながら、暖房用燃焼器８２による暖房用水の加熱を行って、低温暖房端末７８ａ、７８ｂ、７８ｃが正常に接続されているか否かを判定する個別暖房端末試運転（図５参照）を実行するように構成されている。
【００８８】
本実施例の給湯暖房装置２は、暖房端末として、互いに並列に接続された複数の低温暖房端末７８ａ、７８ｂ、７８ｃを備えている。複数の低温暖房端末７８ａ、７８ｂ、７８ｃのそれぞれが、その低温暖房端末７８ａ、７８ｂ、７８ｃに暖房用水が流れる経路を開閉する熱動弁（開閉弁に相当する）を備えている。ＨＰ装置５０は、複数の低温暖房端末７８ａ、７８ｂ、７８ｃに対して直列に接続されている。図４のステップＳ４２、Ｓ４４に示すように、コントローラ１２、１４、１６は、ＨＰ暖房試運転において、一部の低温暖房端末の熱動弁のみを開くように構成されている。
【００８９】
図４のステップＳ４６、Ｓ４８、Ｓ５０に示すように、本実施例の給湯暖房装置２では、コントローラ１２、１４、１６は、ＨＰ暖房試運転において、循環ポンプ７４を駆動してＨＰ装置５０に暖房用水を循環させた状態で、暖房用水の温度が安定するまで待機し、暖房用水の温度が安定すると、ＨＰ装置５０による暖房用水の加熱を開始するように構成されている。
【００９０】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００９１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９２】
２      ：給湯暖房装置
４      ：タンクユニット
６      ：ＨＰユニット
８      ：燃焼器ユニット
１０    ：タンク
１２    ：コントローラ
１４    ：コントローラ
１６    ：コントローラ
１８    ：リモコン
２０    ：給湯用水循環路
２２    ：循環ポンプ
２４    ：水道水導入路
２４ａ  ：第１導入路
２４ｂ  ：第２導入路
３０    ：混合弁
３３    ：燃焼器バイパス路
３４    ：バイパス弁
３６    ：第１給湯路
３７    ：給湯加熱路
３８    ：給湯栓
３９    ：第２給湯路
４０    ：浴槽注湯路
４２    ：注湯電磁弁
４４    ：ＨＰバイパス路
４６    ：分流弁
５０    ：ＨＰ装置
５１    ：給湯用熱交換器
５２    ：冷媒循環路
５３    ：暖房用熱交換器
５４    ：空気熱交換器
５６    ：ファン
５８    ：給湯用膨張弁
５９    ：暖房用膨張弁
６２    ：圧縮機
６４    ：低水位電極
６６    ：高水位電極
６８    ：補水経路
６９    ：補水弁
７０    ：シスターン
７１    ：暖房端末バイパス路
７２    ：暖房往路
７３    ：第１暖房加熱路
７４    ：循環ポンプ
７５    ：低温暖房循環路
７６    ：高温暖房端末
７７    ：高温暖房循環路
７８ａ  ：低温暖房端末
７８ｂ  ：低温暖房端末
７８ｃ  ：低温暖房端末
７９    ：追い焚き循環路
８１    ：給湯用燃焼器
８２    ：暖房用燃焼器
８３    ：追い焚き熱動弁
８４    ：第２暖房加熱路
８４ａ  ：サーミスタ
８４ｂ  ：サーミスタ
８４ｃ  ：サーミスタ
８４ｄ  ：サーミスタ
９１    ：浴槽水循環路
９６    ：暖房復路
９７    ：追い焚き熱交換器
９８    ：浴槽
９９    ：循環ポンプ
【図１】
0006471052.tif 000002
【図２】
0006471052.tif 000003
【図３】
0006471052.tif 000004
【図４】
0006471052.tif 000005
【図５】
0006471052.tif 000006